(57)【特許請求の範囲】
【請求項１】
本体の内部に上端部が本体の上端より突出してドアーの下端部に結合される主軸と、往復移動可能で前記主軸に連結手段を介して連結されるピストンと、前記主軸に結合されるドアーに閉塞方向の付勢力を与えるべく前記ピストンを介して前記主軸にドアー閉塞方向の回転力を与えるばねと、充填された油などを備えたフロアヒンジであって、前記本体からの主軸の突出部には本体の上端に開口部が形成され、この開口部を閉じるために開口部に螺入された蓋体の内面と主軸の外周面との間にＯリングが介在されるとともに、このＯリングの上側にごみなどの侵入防止用ゴム製リングを上端のリップ部が主軸の外周面に接するように設けられ、前記本体は鉄板を成形したケース本体とこのケース本体の上端を閉じる蓋プレートとからなるケースの中に収納され、前記蓋プレートは前記蓋体を上方に突出させるように蓋体と嵌合する孔部が形成されており、さらに前記孔部から上方に突出する蓋体の上から被さるキャップが設けられており、このキャップは上端の水平な平面形状が円形の板部と、この板部の外周から下向きに折れ曲がる板部とを備え、前記上端の水平な板部の中心に円形の孔部を形成し、この孔部の内周に硬質ゴムからなるリングが設けられていて、前記リングが装着されたキャップを前記ドアーの下端部に結合される主軸の上端部よりやや下側の膨らみ部の上端の肩部に前記リングの内周が圧接するように被せ、前記下向きに折れ曲がる板部の下端は前記蓋プレートの上面からは僅かに離れた状態となるように構成されていることを特徴とするフロアヒンジ。
【発明の詳細な説明】
【０００１】
【発明の属する技術分野】
本発明は建物のドアーの下端部を支持しドアーを閉塞方向に付勢するフロアヒンジに関するものである。
【０００２】
【従来の技術】
従来から建物のドアーの下端部を支持すべく床面に埋め込まれ、内部に収納されたばねの付勢力によりドアーを閉塞方向に付勢するようにしたフロアヒンジが知られている。
【０００３】
このようなフロアヒンジは、本体内に油が充填されており、本体の上端より突出してドアーの下端部に嵌合して結合される主軸が設けられている。そして、この主軸は本体内部に往復移動可能に設けられたピストンに連結手段を介して連結され、前記主軸に結合されるドアーに閉塞方向の付勢力を与えるべく前記ピストンを介して前記主軸にドアー閉塞方向の回転力を与える前記ばねが設けられている。
【０００４】
このような構成のフロアヒンジにあって、前記本体からの主軸の突出部には本体に開口部が形成され、この開口部に螺入された蓋体の内面と主軸の外周面との間にＯリングが介在されるとともに、このＯリングの上側にごみなどの侵入防止用ゴム製リングを上端のリップ部が主軸の外周面に接するように設けられている。
【０００５】
しかしながら、このような構成では長期の使用によりゴム製リングの上端のリップ部が摩耗するなどによりこのリップ部と主軸の外周面との間に隙間が生じ、この隙間からごみなどの異物が侵入して前記Ｏリングを損傷させるという問題や、損傷したＯリングと主軸の外周面との間から油漏れが生じるという問題があった。
【０００６】
【発明が解決しようとする課題】
本発明はこのような課題を解決するもので、ゴム製リングの上端のリップ部と主軸の外周面との間からのごみなどの異物の侵入を防止し、且つ油漏れを防止するようにしたフロアヒンジを提供することを目的とするものである。
【０００７】
【課題を解決するための手段】
この課題を解決するために本発明は、本体の内部に上端部が本体の上端より突出してドアーの下端部に結合される主軸と、往復移動可能で前記主軸に連結手段を介して連結されるピストンと、前記主軸に結合されるドアーに閉塞方向の付勢力を与えるべく前記ピストンを介して前記主軸にドアー閉塞方向の回転力を与えるばねと、充填された油などを備えたフロアヒンジであって、前記本体からの主軸の突出部には本体の上端に開口部が形成され、この開口部を閉じるために開口部に螺入された蓋体の内面と主軸の外周面との間にＯリングが介在されるとともに、このＯリングの上側にごみなどの侵入防止用ゴム製リングを上端のリップ部が主軸の外周面に接するように設けられ、前記本体は鉄板を成形したケース本体とこのケース本体の上端を閉じる蓋プレートとからなるケースの中に収納され、前記蓋プレートは前記蓋体を上方に突出させるように蓋体と嵌合する孔部が形成されており、さらに前記孔部から上方に突出する蓋体の上から被さるキャップが設けられており、このキャップは上端の水平な平面形状が円形の板部と、この板部の外周から下向きに折れ曲がる板部とを備え、前記上端の水平な板部の中心に円形の孔部を形成し、この孔部の内周に硬質ゴムからなるリングが設けられていて、前記リングが装着されたキャップを前記ドアーの下端部に結合される主軸の上端部よりやや下側の膨らみ部の上端の肩部に前記リングの内周が圧接するように被せ、前記下向きに折れ曲がる板部の下端は前記蓋プレートの上面からは僅かに離れた状態となるように構成されていることを要旨とするものである。
【０００８】
この構成により、ドアーの下端部に結合される主軸の上端部よりやや下側の膨らみ部の上端の肩部にキャップの内周に装着された硬質ゴムからなるリングの内周が圧接するとともに、キャップの下向きの板部の下端は蓋プレートの上面からは僅かに離れた状態にあるので、主軸の回転に伴ってキャップも一緒に回転することになる。この状態において、リングの内周が主軸の前記膨らみ部の上端の肩部に圧接しているので、この部分からのごみなどの異物の侵入が防止され、その結果内側に位置するＯリングの損傷を抑え、油漏れを防止することができる。
【０００９】
【発明の実施の形態】
以下、本発明の一実施の形態について、図面に基づいて説明する。
図１〜図４において、１はフロアヒンジの本体で、この本体１の内部には本体１の上端より突出してドアー２の下端部に上端部３ａが嵌合して結合される主軸３が設けられている。そして、この主軸３は本体１内部に往復移動可能に設けられたピストン４に連結手段を介して連結され、前記主軸３に結合されるドアー２に閉塞方向の付勢力を与えるべく前記ピストン４を介して前記主軸３にドアー閉塞方向の回転力を与えるばね５が設けられている。
【００１０】
ところで、前記本体１からの主軸３の突出部には本体１の上端に開口部６が形成され、この開口部６を閉じるために開口部６に螺入された蓋体７の内面と主軸３の外周面との間にＯリング８が介在されるとともに、このＯリング８の上側にバックアップリング９が介在され、さらにこのバックアップリング９の上側にごみなどの侵入防止用ゴム製リング１０が上端のリップ部１０ａが主軸３の外周面に接するように介在されて設けられている。なお、前記本体１の内部には油が充填されている。
【００１１】
そして、上記のように主軸３、ピストン４、ばね５などが設けられた本体１は鉄板を成形したケース１１の中に収納される。ケース１１は上端が開口し前記本体１を入れるケース本体１１ａと、このケース本体１１ａの上端を閉じる蓋プレート１１ｂとからなり、この蓋プレート１１ｂには前記Ｏリング８、バックアップリング９、ごみなどの侵入防止用ゴム製リング１０を包む前記蓋体７を上方に突出させるように蓋体７と嵌合する孔部１１ｃが形成されている。
【００１２】
本発明の実施の形態では上記のような構成に加え、前記孔部１１ｃから上方に突出する蓋体７の上から被さる金属製のキャップ１２が設けられている。このキャップ１２は上端の水平な平面形状が円形の板部１２ａと、この板部１２ａの外周から下向きに折れ曲がる板部１２ｂとを備え、前記板部１２ａの中心に円形の孔部１２ｃを形成し、この孔部１２ｃの内周に硬質ゴムからなるリング１３が一体成形により設けられている。キャップ１２とリング１３との関係を図４に拡大して示し、リング１３の外周の溝１３ａが前記孔部１２ｃの内周に嵌合するようにリング１３がキャップ１２に装着されている。このようにリング１３が装着されたキャップ１２を前記ドアー２の下端部に結合される主軸３の上端部３ａよりやや下側の膨らみ部３ｂの上端の肩部３ｃに前記リング１３の内周が圧接するように前記蓋体７の上から被せる。このとき、蓋体７から僅かに上方に突出する前記膨らみ部３ｂの上端の肩部３ｃに内周が圧接するリング１３を備えたキャップ１２の前記板部１２ａは前記蓋体７の上面に載った状態となるが、前記板部１２ｂの下端は前記蓋プレート１１ｂの上面からは僅かに離れた状態となるように構成されている。
【００１３】
【発明の効果】
以上のように本発明によれば、ドアーの下端部に結合される主軸の上端部よりやや下側の膨らみ部の上端の肩部にキャップの内周に装着された硬質ゴムからなるリングの内周が圧接するとともに、キャップの下向きの板部の下端は蓋プレートの上面からは僅かに離れた状態にあるので、主軸の回転に伴ってキャップも一緒に回転することになる。この状態において、リングの内周が主軸の前記膨らみ部の上端の肩部に圧接しているので、この部分からのごみなどの異物の侵入が防止され、その結果内側に位置するＯリングの損傷を抑え、油漏れを防止することができる。
【図面の簡単な説明】
【図１】本発明の一実施の形態におけるフロアヒンジの全体斜視図である。
【図２】同フロアヒンジの全体断面図である。
【図３】同フロアヒンジの要部拡大断面図である。
【図４】同フロアヒンジに取り付けられるキャップの拡大断面図である。
【符号の説明】
１      本体
２      ドアー
３      主軸
３ａ    上端部
３ｂ    膨らみ部
３ｃ    肩部
４      ピストン
５      ばね
６      開口部
７      蓋体
８      Ｏリング
９      バックアップリング
１０      ごみなどの侵入防止用ゴム製リング
１０ａ    リップ部
１１      ケース
１１ａ    ケース本体
１１ｂ    蓋プレート
１１ｃ    孔部
１２      キャップ
１２ａ    板部
１２ｂ    板部
１２ｃ    孔部
１３      リング
１３ａ    溝
【図１】
0004540200.tif 000002
【図２】
0004540200.tif 000003
【図３】
0004540200.tif 000004
【図４】
0004540200.tif 000005